(57)【要約】【課題】  優れた遮熱機能が得られる複層ガラス等の透光性部材を提供すること。【解決手段】  好適な透光性部材は、一方の側から入射された外光Ｌの少なくとも一部を透過する透光性部材であって、一対の板状部材が間隔をおいて配置された構成を有する。この一対の板状部材のうちの少なくとも一方は、（メタ）アクリル系モノマー、リン酸エステル化合物及び銅イオンを含む樹脂組成物の硬化物からなる赤外吸収部材である。【選択図】  図１
0003123297.tif 000002
【実用新案登録請求の範囲】
【請求項１】
一方の側から入射された光の少なくとも一部を透過する透光性部材であって、
一対の板状部材が間隔をおいて配置されており、
前記板状部材のうちの少なくとも一方は、（メタ）アクリル系モノマー、リン酸エステル化合物及び銅イオンを含む樹脂組成物の硬化物からなる赤外吸収部材である、
ことを特徴とする透光性部材。
【請求項２】
前記一対の板状部材のうちのいずれか一方が前記赤外吸収部材であり、該赤外吸収部材は前記光の入射側に配置されている、ことを特徴とする請求項１記載の透光性部材。
【請求項３】
紫外光を吸収する紫外光吸収層が、前記赤外吸収部材における前記光の入射側の面上に設けられている、ことを特徴とする請求項２記載の透光性部材。
【請求項４】
赤外光を反射する赤外反射層又は赤外光を吸収する赤外吸収層が、いずれか一方の前記板状部材における他方の前記板状部材と対向する面上に設けられている、ことを特徴とする請求項２又は３記載の透光性部材。
【請求項５】
前記一対の板状部材のうちのいずれか一方が前記赤外吸収部材であり、該赤外吸収部材は前記光の入射側と反対側に配置されている、ことを特徴とする請求項１記載の透光性部材。
【請求項６】
紫外光を吸収する紫外光吸収層が、いずれか一方の前記板状部材における他方の前記板状部材と対向する面上に設けられている、ことを特徴とする請求項５記載の透光性部材。
【請求項７】
赤外光を反射する赤外反射層又は赤外光を吸収する赤外吸収層が、いずれか一方の前記板状部材における他方の前記板状部材と対向する面上に設けられている、ことを特徴とする請求項５又は６記載の透光性部材。
【請求項８】
前記紫外光吸収層が、前記赤外吸収部材における他方の前記板状部材と対向する面上に設けられている、ことを特徴とする請求項６又は７記載の透光性部材。
【請求項９】
前記紫外光吸収層と、前記赤外反射層又は前記赤外吸収層と、が、前記赤外吸収部材以外の前記板状部材における前記赤外吸収部材と対向する面上に設けられている、ことを特徴とする請求項７記載の透光性部材。
【請求項１０】
前記一対の板状部材のうちの少なくとも一方が、赤外光を吸収する粒子を含む、ことを特徴とする請求項５又は６記載の透光性部材。
【考案の詳細な説明】
【技術分野】
【０００１】
本考案は、透光性部材に関する。
【背景技術】
【０００２】
ガラス等の透光性を有する板状部材は、窓材等に適用される際、断熱や防音等を目的として、所定の間隔をあけて複数の板状部材を配置した構造を有する透光性部材、いわゆる複層ガラスとして用いられることが知られている（例えば、特開２００５−１８７３０５号公報、特開２００５−２９８２７９号公報、特開２００５−３０６６８９号公報等参照）。
【考案の開示】
【考案が解決しようとする課題】
【０００３】
ところで、近年では、上述したような複層ガラスに対して、更なる遮熱機能の向上が求められている。
【０００４】
そこで、本考案は、優れた遮熱機能が得られる複層ガラス等の透光性部材を提供することを目的とする。
【課題を解決するための手段】
【０００５】
上記目的を達成するため、本考案は、一方の側から入射された光の少なくとも一部を透過する透光性部材であって、一対の板状部材が間隔をおいて配置されており、板状部材のうちの少なくとも一方は、（メタ）アクリル系モノマー、リン酸エステル化合物及び銅イオンを含む樹脂組成物の硬化物からなる赤外吸収部材であることを特徴とする。
【０００６】
（メタ）アクリル系モノマー、リン酸エステル化合物及び銅イオンを含む樹脂組成物の硬化物は、赤外領域及びその近傍領域の光（本明細書においてはこれらをまとめて「赤外光」という）を吸収する特性に優れている。本考案の透光性部材は、上述のように、板状部材として少なくとも一方に上記硬化物からなる赤外吸収部材を備えているため、太陽光等に含まれる赤外光、すなわち熱線を遮蔽することができる。したがって、本考案の透光性部材を窓材等に適用すれば、従来の複層ガラスの効果に加え、赤外光を遮蔽することによる優れた遮熱効果が得られるようになる。
【０００７】
また、上述した樹脂組成物の硬化物は、主として（メタ）アクリル系樹脂から構成されるものとなる。このような硬化物は、通常のガラス等に比べて軽いという特性を有している。このため、本考案の透光性部材は、複数のガラスを用いた従来の複層ガラスに比して軽量となり、取り扱い性が良好であるほか、取り付け部位の自由度が高いものとなる。
【０００８】
さらに、この樹脂組成物の硬化物は、赤外光を良好に吸収し得る反面、可視領域の光を効率よく通すという特性を併せて有している。通常、ガラス等に赤外光を遮蔽する特性を付与しようとすると、可視光の透過率も低下してしまい、室内の明るさを十分に確保し難い傾向にある。これに対し、上記本考案の透光性部材は、可視光も良好に透過し得る赤外吸収部材を備えるものであるため、赤外光を良好に遮蔽しつつ、十分に可視光を透過し得るものとなる。
【０００９】
上記本考案の透光性部材の好適な構成としては、一対の板状部材のうちのいずれか一方が赤外吸収部材であり、しかもこの赤外吸収部材が光の入射側に配置されている構成が挙げられる。かかる構成とすれば、外側から入射される熱線を外側の板状部材で遮蔽することができ、室内等光が入射される側の温度上昇を良好に抑制することが可能となる。
【００１０】
この透光性部材においては、紫外光を吸収する紫外光吸収層が、赤外吸収部材における光の入射側の面上に設けられていると好ましい。こうすることで、太陽光等に含まれる紫外光の赤外吸収部材への照射量が低減され、紫外光の照射による赤外吸収部材の劣化を抑制することが可能となる。
【００１１】
また、透光性部材においては、赤外光を反射する赤外反射層又は赤外光を吸収する赤外吸収層が、いずれか一方の板状部材における他方の板状部材と対向する面上に設けられているとより好ましい。こうすれば、透光性部材による赤外光を遮蔽する特性が一層優れるようになる。
【００１２】
また、本考案の透光性部材の他の好適な構成としては、一対の板状部材のうちのいずれか一方が赤外吸収部材であり、この赤外吸収部材が光の入射側と反対側に配置されている構成が挙げられる。このような構成とすれば、外側からの赤外光の入射が遮蔽されるのに加え、赤外吸収部材が室内等の光が入射される側に設けられるため、かかる側から外側への熱線の放出も効率よく低減できるようになる。したがって、このような透光性部材を窓材等に用いれば、外部温度等が低い場合等に室内温度を良好に維持することができる。
【００１３】
このような構造の透光性部材においては、紫外光を吸収する紫外光吸収層が、いずれか一方の板状部材における他方の板状部材と対向する面上に設けられていると好ましい。こうすれば、赤外吸収部材よりも光の入射側に紫外光吸収層が形成されることになり、上述したように、紫外光の照射による赤外吸収部材の劣化を低減できるようになる。
【００１４】
また、この透光性部材においては、赤外光を反射する赤外反射層又は赤外光を吸収する赤外吸収層が、いずれか一方の前記板状部材における他方の前記板状部材と対向する面上に設けられているとより好ましい。これにより、透光性部材による赤外光を遮蔽する特性が一層優れるようになる。
【００１５】
より具体的には、紫外光吸収層は、赤外吸収部材における他方の板状部材と対向する面上に設けられているとより好ましい。こうすれば、紫外光吸収層が赤外吸収部材上に直接形成されることとなり、赤外吸収部材の劣化をより効果的に低減できるようになる。
【００１６】
また、紫外光吸収層、及び、赤外反射層又は赤外吸収層の両方は、赤外吸収部材以外の板状部材における赤外吸収部材と対向する面上に設けられていてもよい。この場合、赤外吸収部材よりも光の入射側で紫外光及び赤外光が遮蔽されることとなり、赤外吸収部材の劣化を低減できるとともに、外部からの熱線の浸入をより効果的に遮蔽できるようになる。
【００１７】
さらに、赤外吸収部材が光の入射側と反対側に配置された構造の透光性部材においては、一対の板状部材のうちの少なくとも一方が、赤外光を吸収する粒子を含む構成としてもよい。これによっても、赤外反射又は吸収層を設ける場合と同様、透光性部材による赤外光の遮蔽効果が更に優れるようになる。
【考案の効果】
【００１８】
本考案によれば、優れた遮熱機能が得られる複層ガラス等の透光性部材を提供することが可能となる。
【考案を実施するための最良の形態】
【００１９】
以下、図面を参照して本考案の好適な実施形態について説明する。なお、全図を通じ、同一の要素には同一の符号を付し、重複する説明は省略する。
【００２０】
本考案に係る透光性部材は、一対の透光性を有する板状部材が所定の間隔をおいて配置されており、この一対の板状部材のうちの少なくとも一方が赤外光を吸収する赤外吸収部材である。このような透光性部材としては、一対の板状部材のうち、太陽光等の外光が入射される側が赤外吸収部材であるもの、及び、外光が入射されるのと反対側が赤外吸収部材であるものが挙げられる。
【００２１】
まず、一対の板状部材のうち、外光が入射される側が赤外吸収部材である透光性部材について説明する。
【００２２】
（第１実施形態）
図１は、第１実施形態に係る透光性部材の断面構成を模式的に示す図である。本実施形態の透光性部材１０は、赤外吸収部材２、板状部材４及び紫外光吸収層６を備えた構成を有している。この透光性部材１０に対し、外光Ｌが矢印で示す方向に照射される。つまり、透光性部材１０においては、外光Ｌの入射側に赤外吸収部材２が配置され、この赤外吸収部材２と所定の間隔をおいて板状部材４が配置され、更に、赤外吸収部材２の外光Ｌの入射側の面上に紫外光吸収層６が配置されている。なお、図示しないが、透光性部材１０においては、例えば、赤外光吸収部材２と板状部材４とがその周縁部においてスペーサーを介して固定されている（以下の各実施形態の透光性部材についても同様）。
【００２３】
赤外吸収部材２は、（メタ）アクリル系モノマー、リン酸エステル化合物及び銅イオンを含む樹脂組成物の硬化物から構成される。以下、赤外吸収部材２の構成について詳細に説明する。
【００２４】
まず、樹脂組成物について説明する。
【００２５】
樹脂組成物に含まれる（メタ）アクリル系モノマーは、（メタ）アクリル基を一つ又は二つ以上有するモノマーである。なお、本明細書において、「（メタ）アクリル」の表記は、「アクリル」及び「メタクリル」の両者をまとめて示すものであり、これらのうちいずれか一方又は両方を含むものを包含する。また、本明細書においては、「（メタ）アクリレート」も同様に、「アクリレート」及び「メタクリレート」の両者をまとめて示すものである。
【００２６】
（メタ）アクリル系モノマーとしては、（メタ）アクリル酸又は（メタ）アクリル酸エステルが挙げられる。（メタ）アクリル酸エステルにおいて、エステル結合の酸素に結合される官能基としては、脂肪族炭化水素基、脂環式炭化水素基、芳香族炭化水素基等が挙げられる。また、これらの基が、エーテル結合、エステル結合、アミド結合、ウレタン結合、尿素結合等を介して複数結合してなる官能基であってもよい。さらに、当該官能基には、更に、水酸基、アミノ基、チオール基、エポキシ基等が結合していてもよい。
【００２７】
（メタ）アクリル系モノマーとしては、（メタ）アクリル酸エステルが好ましく、具体的には、以下に示す化合物が挙げられる。すなわち、メチル（メタ）アクリレート、エチル（メタ）アクリレート、ｎ−プロピル（メタ）アクリレート、ｎ−ブチル（メタ）アクリレート、イソブチル（メタ）アクリレート、ターシャリーブチル（メタ）アクリレート、ｎ−ヘキシル（メタ）アクリレート、ｎ−オクチル（メタ）アクリレート、ラウリル（メタ）アクリレート、ステアリル（メタ）アクリレート、２−エチルヘキシル（メタ）アクリレート等のアルキル（メタ）アクリレート類、グリシジル（メタ）アクリレート、２−ヒドロシキエチル（メタ）アクリレート、２−ヒドロシキプロピル（メタ）アクリレート、ヒドロキシブチル（メタ）アクリレート、イソボルニル（メタ）アクリレート、メトキシポリエチレン（メタ）アクリレート、フェノキシ（メタ）アクリレート等の変性（メタ）アクリレート類、エチレングリコールジ（メタ）アクリレート、ジエチレングリコールジ（メタ）アクリレート、ポリエチレングリコールジ（メタ）アクリレート、ポリプロピレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、２−ヒドロキシ−１，３−ジ（メタ）アクリレート、２，２−ビス［４−（メタ）アクリロキシエトキシフェニル］プロパン、２−ヒドロキシ−１−（メタ）アクリロキシ−３−（メタ）アクリロキシプロパン、トリメチロールプロパントリ（メタ）アクリレート、ペンタエリトリットトリ（メタ）アクリレート、ペンタエリトリットテトラ（メタ）アクリレート等の多官能（メタ）アクリレート類等が挙げられる。これらの（メタ）アクリル酸エステルは、上述したものを単独で用いてもよく、複数組み合わせて用いてもよい。
【００２８】
（メタ）アクリル酸エステルとしては、上述したなかでも、（メタ）アクリル酸アルキルエステルが好ましく、なかでも、エステル結合の酸素に結合される官能基が、炭素数４〜１２のアルキル基であるものが好ましく、６〜１０のアルキル基であるものがより好ましい。すなわち、下記一般式（１）で表される化合物が好ましい。下記式中、Ｒ１１は水素原子又はメチル基、Ｒ１２は炭素数４〜１２のアルキル基、好ましくは炭素数６〜１０のアルキル基を示す。
【化１】
0003123297.tif 000003
【００２９】
このような（メタ）アクリル酸アルキルエステルとしては、メチルメタクリレート、ｎ−ブチルメタクリレート、シクロヘキシルメタクリレート、２−エチルヘキシルメタクリレート、イソデシルメタクリレート、ラウリルメタクリレート等が挙げられる。これらの（メタ）アクリル酸アルキルエステルは、単独で又は複数種組み合わせて用いることができる。
【００３０】
樹脂組成物に含まれる２価の銅イオンは、樹脂組成物中に、例えば、銅塩として供給される。このような銅塩の具体例としては、酢酸銅、蟻酸銅、ステアリン酸銅、安息香酸銅、エチルアセト酢酸銅、ピロリン酸銅、ナフテン酸銅、クエン酸銅等の有機酸の銅塩無水物、水和物若しくは水化物、或いは、塩化銅、硫酸銅、硝酸銅、塩基性炭酸銅等の無機酸の銅塩の無水物、水和物若しくは水化物、又は、水酸化銅が挙げられる。これらのなかでは、酢酸銅、酢酸銅一水和物、安息香酸銅、水酸化銅、塩基性炭酸銅が好ましく用いられる。なお、銅イオン源であるこれらの銅塩は、単独で用いてもよく、複数組み合わせて用いてもよい。
【００３１】
銅イオンは、樹脂組成物に含有されて、当該組成物又はその硬化物に近赤外光を吸収する特性を付与し得るものである。また、かかる銅イオンは、後述するリン酸エステルと組み合わせて含有されることによって、樹脂組成物に対する溶解性が極めて良好なものとなる。よって、このような形態で銅イオンが配合された樹脂組成物は、近赤外光を吸収する特性に優れるほか、優れた可視光透過性をも有するものとなる。
【００３２】
樹脂生物に含まれるリン含有化合物としては、下記一般式（２Ａ）で表されるリン酸エステル化合物、下記一般式（２Ｂ）で表されるホスフィン酸化合物、下記一般式（２Ｃ）で表されるホスホン酸化合物、並びに、下記一般式（２Ｄ）で表されるホスホン酸エステル化合物からなる群より選ばれる少なくとも一種の化合物が挙げられる。
【化２】
0003123297.tif 000004
【００３３】
上記式中、ｎは１又は２であり、Ｒ２１、Ｒ２２、Ｒ２３、Ｒ２４、Ｒ２５及びＲ２６は、それぞれ独立に、アルキル基、シクロアルキル基、アルケニル基、アルキニル基、アリール基、アリル基、オキシアルキル基、ポリオキシアルキル基、オキシアリール基、ポリオキシアリール基、（メタ）アクリロイルオキシアルキル基又は（メタ）アクリロイルポリオキシアルキル基を示す。これらの基の炭素数は、それぞれ１〜３０であると好ましい。なお、これらの基は、当該基における少なくとも一つの水素原子が、ハロゲン原子、オキシアルキル基、ポリオキシアルキル基、オキシアリール基、ポリオキシアリール基、アシル基、アルデヒド基、カルボキシル基、ヒドロキシル基、（メタ）アクリロイル基、（メタ）アクリロイルオキシアルキル基、（メタ）アクリロイルポリオキシアルキル基又はエステル基で置換されていてもよい。
【００３４】
なお、リン含有化合物としては、上記式（２Ａ）〜（２Ｄ）で表される化合物のうちの一種のみを用いてもよく、複数種を組み合わせて用いてもよい。また、上記（２Ａ）〜（２Ｄ）の各リン含有化合物についても、それぞれ上記各種の官能基を有するものを単独で用いてもよく、２種以上のものを組み合わせて用いてもよい。
【００３５】
なかでも、リン含有化合物としては、上記一般式（２Ａ）で表されるリン酸エステル化合物（モノエステル体及び／又はジエステル体）が好ましい。上記一般式（２Ａ）で表されるリン酸エステル化合物において、Ｒ２１で表される基としては、アルキル基、アルケニル基又は下記一般式（３）で表される重合性官能基が挙げられる。なお、下記一般式（３）中、Ｘは、水素原子又はメチル基を示し、ｐは２〜６の整数であり、ｍは０〜５の整数である。
【化３】
0003123297.tif 000005
【００３６】
上述したＲ２１で表される官能基のうち、アルキル基としては、炭素数１〜３０のアルキル基が好ましく、炭素数１〜１８のアルキル基がより好ましい。このようなアルキル基としては、ｎ−ブチル基、ｎ−ヘキシル基、ｎ−オクチル基、２−エチルヘキシル基、ｎ−デシル基、ｎ−ドデシル基等が挙げられ、なかでも、２−エチルヘキシル基が好ましい。また、アルケニル基としては、オレイル基が好ましい。
【００３７】
樹脂組成物は、上述した（メタ）アクリル系モノマー、銅イオン及びリン含有化合物を含むものであり、これらの成分を溶媒中で混合すること等によって調製できる。この樹脂組成物において、２価の銅イオンは、２価の銅イオンのままの状態で存在していてもよく、上述したリン含有化合物とイオン結合又は配位結合を形成して、リン含有化合物−銅錯体の状態で存在していてもよい。
【００３８】
後者のように錯体を形成していると、（メタ）アクリル系モノマーやその重合体に対する銅イオンの溶解性が高まり、樹脂組成物の硬化物の可視光透過性が優れるようになる。よって、樹脂組成物の調製に際しては、上述したような銅イオン源とリン含有化合物とを所定の溶媒中で混合して反応させること等によって、リン含有化合物−銅錯体を予め形成させてもよい。
【００３９】
これらの成分の好適な含有量は、以下に示す通りである。すなわち、（メタ）アクリル系モノマーの含有量は、２０〜９９．５質量％であると好ましく、５０〜９９質量％であるとより好ましく、７０〜９９質量％であると更に好ましい。また、銅イオン及びリン含有化合物の含有量は、０．５〜８０質量％であると好ましく、１〜５０質量％であるとより好ましく、１〜３０質量％であると更に好ましい。かかる含有量は、上述したリン含有化合物−銅錯体が形成される場合も同様である。また、銅イオンとリン含有化合物との配合比は、リン含有化合物が銅イオンとがイオン結合又は配位結合を形成し得る場合は、その結合又は配位が可能となるように適宜設定することが好ましい。
【００４０】
なお、樹脂組成物には、（メタ）アクリル系モノマー、銅イオン及びリン含有化合物に加え、硬化物の特性を向上させるための他の成分を更に含有していてもよい。これらの他の成分の含有量は、得られる硬化物の赤外吸収特性や強度等を大きく低下させない程度とすることが好ましい。
【００４１】
他の成分としては、光安定剤、紫外光に対する安定性を高める紫外光吸収剤、銅イオンの分散性を更に高める可塑剤、抗酸化剤、熱安定剤や、色調を調整する成分（染料、顔料、金属化合物等）を更に含んでいてもよい。例えば、光安定剤としては、ヒンダードアミン系光安定剤（ＨＡＬＳ）やＮｉ系化合物が挙げられる。また、紫外光吸収剤としては、ベンゾエート系化合物、サリシレート系化合物、ベンゾフェノン系化合物、ベンゾトリアゾール系化合物、シアノアクリレート系化合物、シュウ酸アニリド系化合物、トリアジン系化合物等が挙げられる。さらに、可塑剤としては、リン酸エステル系可塑剤、フタル酸系可塑剤、脂肪酸系可塑剤、グリコール系可塑剤等が挙げられる。
【００４２】
次に、樹脂組成物の硬化物について説明する。
【００４３】
上述した樹脂組成物を加熱等により硬化させることで、赤外吸収部材２を構成する硬化物が得られる。かかる硬化においては、樹脂組成物中の（メタ）アクリル系モノマーが重合を生じて（メタ）アクリル系ポリマーが形成される。得られるポリマーは、（メタ）アクリル系モノマーの構造単位を有していれば、他の単量体単位を含むコポリマーであってもよい。
【００４４】
すなわち、樹脂組成物の硬化物は、（メタ）アクリル系ポリマー中に、銅イオン及びリン含有化合物、並びに／或いは、リン含有化合物−銅錯体が分散された構成を有するものとなる。なお、リン含有化合物が、（メタ）アクリル系モノマーと重合可能な官能基を有している場合は、リン含有化合物及び／又は銅錯体が、（メタ）アクリル系ポリマーのポリマー構造中に取り込まれていてもよい。
【００４５】
上記構成を有する赤外吸収部材２は、銅イオンが分散された構成を有していることから、赤外光を含む外光が照射された場合には、銅イオンのｄ軌道間の電子遷移によって赤外光を選択的に吸収することができる。また、樹脂組成物中の成分にもよるが、基本的には赤外光以外の波長の光は透過できることから、外光中の可視光は効率よく透過することができる。つまり、赤外吸収部材２は、可視光を良好に透過させつつ、赤外光を選択的に遮蔽することができる。ただし、作用はこれらには必ずしも限定されない。
【００４６】
以下、透光性部材１の赤外吸収部材２以外の構成について説明する。
【００４７】
板状部材４は、少なくとも可視光を透過し得る透光性を有する板状の部材であり、ほぼ全波長の光を透過し得る透光性を有していると好ましい。このような板状部材４としては、通常、窓材等に用いられる透光性の材料からなるものを適用できる。良好な硬度、耐熱性、耐薬品性、耐久性等を得る観点からは、板状部材４の構成材料としては、ガラスやプラスチックが好適である。ガラスとしては、無機ガラス、有機ガラス等が挙げられる。プラスチックとしては、例えば、ポリカーボネート、アクリロニトリル−スチレン共重合体、ポリメチルメタクリレート、塩化ビニル樹脂、ポリスチレン、ポリエステル、ポリオレフィン、ノルボルネン樹脂等が例示できる。
【００４８】
赤外吸収部材２と板状部材４との間は中空領域となっており、当該領域は空気やその他の気体が存在していてもよく、真空とされていてもよい。透光性部材１において、赤外吸収部材２と板状部材４との間隔の幅は、３〜３０ｍｍ程度であると好ましい。こうすれば、透光性部材１０の断熱や遮音効果が良好に得られるようになる。
【００４９】
さらに、紫外光吸収層６は、赤外吸収部材２の外光Ｌの入射側の面上に設けられており、紫外光を吸収し得る特性を有する層である。かかる紫外光吸収層６としては、ＵＶ吸収剤を含むコートや、粘着剤等によって貼り付けられたＵＶ吸収性を有するフィルム（例えば、耐光性機能フィルム（コンバーテック、１９８９年６月号、１〜１０頁））等が好ましい。通常、樹脂の硬化物に対して紫外光が照射されると、その硬化物は徐々に劣化して特性低下等を生じ易い。これに対し、本実施形態においては、赤外吸収部材２よりも外光Ｌの入射側に近い領域に紫外光吸収層６を設けることで、外光Ｌに含まれる紫外光の赤外吸収部材２への照射が抑制されることになる。これによって、赤外吸収部材２の経時的な劣化が低減されるようになる。
【００５０】
上記構成を有する透光性部材１０は、赤外吸収部材２を備えているため、外光Ｌに含まれる赤外光を遮蔽しつつ、可視光を良好に透過することができる。赤外吸収部材２は、赤外光を吸収することによってそれ自体が熱を有する場合がある。しかし、透光性部材１０においては、上述の如く赤外吸収部材２と板状部材４との間が中空領域とされていることから、赤外吸収部材２の熱が板状部材４側に伝わり難くなっている。このため、透光性部材１０は、外部から侵入する熱を吸収できるだけでなく、この吸収した熱が光の入射側と反対側に放出されるのを抑制することもできる。このように、本実施形態の透光性部材１０は、相乗的に優れた遮熱効果を発揮することができ、窓材等に適用した場合等に、外気温が高い場合であっても熱線の侵入を抑制して室内温度を良好に維持できるようになる。
【００５１】
このような外光の入射側に赤外吸収部材を備える透光性部材は、赤外光に対する遮蔽性を更に向上させる観点から、そのための上記以外の構成を更に有するものであってもよい。以下、赤外光を遮蔽し得る他の構成を更に備える第２〜第５の実施形態について説明する。
【００５２】
（第２実施形態）
図２は、第２実施形態に係る透光性部材の断面構成を模式的に示す図である。同図に示す透光性部材２０は、外光Ｌの入射側に配置された赤外吸収部材２と、この赤外吸収部材２と間隔をおいて配置された板状部材４と、赤外吸収部材２の外光Ｌの入射側の面上に設けられた紫外光吸収層６と、赤外吸収部材２の外光Ｌの入射側と反対側の面上に設けられた赤外遮蔽層８とから構成されている。
【００５３】
赤外遮蔽層８は、赤外光を反射し得る赤外反射層又は赤外光を吸収し得る赤外吸収層のいずれかである。なお、赤外遮蔽層８が赤外吸収層である場合、その構成材料等は赤外吸収部材２とは異なる。
【００５４】
赤外反射層としては、赤外光を反射し得る金属や金属酸化物等の赤外反射成分からなる層や、これらの赤外反射成分が樹脂フィルム中に分散されてなる層が挙げられる。かかる赤外反射成分としては、金、銀、銅、錫、アルミニウム、ニッケル、パラジウム、ケイ素、クロム、チタン、インジウム、アンチモン等の金属単体、合金、混合物又は酸化物が例示できる。
【００５５】
赤外吸収層としては、コートや樹脂フィルム中に赤外光を吸収し得る赤外吸収成分が分散されてなる層が挙げられる。赤外吸収成分としては、金属酸化物や金属ホウ化物の微粒子が挙げられる。赤外吸収性を有する微粒子を構成し得る金属酸化物としては、錫ドープ酸化インジウム（ＩＴＯ）、アンチモンドープ酸化錫（ＡＴＯ）、アルミニウムドープ酸化亜鉛（ＡＺＯ）等が例示できる。
【００５６】
また、金属ホウ化物としては、ＹＢ６、ＬａＢ６、ＣｅＢ６、ＰｒＢ６、ＮｄＢ６、ＳｍＢ６、ＥｕＢ６、ＧｄＢ６、ＴｂＢ６、ＤｙＢ６、ＨｏＢ６、ＥｒＢ６、ＴｍＢ６、ＹｂＢ６、ＬｕＢ６、ＺｒＢ６、ＢａＢ６、ＳｒＢ６、ＣａＢ６等の６ホウ化物が例示できる。このような赤外吸収層においては、透光性を十分に維持するために、適宜、微粒子の粒径を小さくしたり、分散剤を用いる等して分散性を高めたりすることが好ましい。
【００５７】
（第３実施形態）
図３は、第３実施形態に係る透光性部材の断面構成を模式的に示す図である。同図に示す透光性部材３０は、外光Ｌの入射側に配置された赤外吸収部材２と、この赤外吸収部材２と間隔をおいて配置された板状部材４と、赤外吸収部材２の外光Ｌの入射側の面上に設けられた紫外光吸収層６と、板状部材４の外光Ｌの入射側の面上に設けられた赤外遮蔽層８とから構成されている。
【００５８】
（第４実施形態）
図４は、第４実施形態に係る透光性部材の断面構成を模式的に示す図である。同図に示す透光性部材４０は、外光Ｌの入射側に配置された赤外吸収部材１２と、この赤外吸収部材１２と間隔をおいて配置された板状部材４と、赤外吸収部材１２の外光Ｌの入射側の面上に設けられた紫外光吸収層６とから構成されている。この透光性部材４０は、赤外吸収部材２を赤外吸収部材１２に代えたこと以外は、第１実施形態の透光性部材１０と同様の構成を有するものである。
【００５９】
本実施形態における赤外吸収部材１２は、赤外吸収部材２の上述した成分に加え、赤外光を吸収する粒子を更に含有する。つまり、この赤外吸収部材１２は、赤外吸収部材２中に、更に赤外光を吸収する粒子が均一に分散された構成を有するものとなる。ここで、赤外光を吸収する粒子としては、上述した第２実施形態における赤外光を吸収し得る金属酸化物や金属ホウ化物の微粒子等を適用できる。
【００６０】
（第５実施形態）
図５は、第５実施形態に係る透光性部材の断面構成を模式的に示す図である。同図に示す透光性部材５０は、外光Ｌの入射側に配置された赤外吸収部材２と、この赤外吸収部材２と間隔をおいて配置された板状部材１４と、赤外吸収部材２の外光Ｌの入射側の面上に設けられた紫外光吸収層６とから構成されている。この透光性部材５０は、板状部材４を板状部材１４に代えたこと以外は、第１実施形態の透光性部材１０と同様の構成を有するものである。
【００６１】
本実施形態における板状部材１４は、板状部材４中に赤外光を吸収する粒子が更に含まれて分散された構成を有するものである。ここで、赤外光を吸収する粒子としては、上述した第２実施形態における赤外光を吸収し得る金属酸化物や金属ホウ化物の微粒子等を適用できる。
【００６２】
上記構成を有する第２〜第５実施形態の透光性部材２０、３０、４０及び５０は、それぞれ第１実施形態の透光性部材に赤外遮蔽層８を更に設けるか、または、赤外吸収部材２又は板状部材４のいずれか一方に赤外光を吸収し得る粒子を更に含有させたものである。これらの透光性部材は、このような構成を有することで、第１実施形態の透光性部材１０よりも更に赤外光を遮蔽する特性に優れるものとなる。したがって、これらの透光性部材を窓材等に適用すれば、室内への熱線の侵入をより効果的に抑制できるようになる。
【００６３】
以上、第１〜第５の実施形態を例に挙げて、外光が入射される側に赤外吸収部材が配置された構造の透光性部材について説明したが、本考案の透光性部材は、外光が入射されるのと反対側に赤外吸収部材が配置されたものであってもよい。以下、このような構成を有する透光性部材の例である、第６，第７及び第８実施形態について説明する。
【００６４】
（第６実施形態）
図６は、第６実施形態に係る透光性部材の断面構成を模式的に示す図である。同図に示す透光性部材６０は、外光Ｌの入射側に配置された板状部材４と、この板状部材４と間隔をおいて配置された赤外吸収部材２と、板状部材４の外光Ｌの入射側と反対側の面上に設けられた紫外光吸収層６とから構成されている。
【００６５】
（第７実施形態）
図７は、第７実施形態に係る透光性部材の断面構成を模式的に示す図である。同図に示す透光性部材７０は、外光Ｌの入射側に配置された板状部材４と、この板状部材４と間隔をおいて配置された赤外吸収部材２と、赤外吸収部材２の外光Ｌの入射側に設けられた紫外光吸収層６とから構成されている。
【００６６】
（第８実施形態）
図８は、第８実施形態に係る透光性部材の断面構成を模式的に示す図である。同図に示す透光性部材８０は、外光Ｌの入射側に配置された板状部材２４と、この板状部材２４と間隔をおいて配置された赤外吸収部材２とから構成されている。この透光性部材８０における赤外吸収部材２は、上述した実施形態と同様であるが、板状部材２４は、それ自身が紫外光を吸収する特性を有している点で上述した板状部材４等とは異なっている。
【００６７】
板状部材２４としては、板状部材４中に紫外光を吸収し得る紫外光吸収成分が分散された構造のものが挙げられる。紫外光吸収成分としては、例えば、ベンゾエート系化合物、サリシレート系化合物、ベンゾフェノン系化合物、ベンゾトリアゾール系化合物、シアノアクリレート系化合物、シュウ酸アニリド系化合物、トリアジン系化合物等が挙げられる。このような板状部材２４を備えることによっても、紫外光吸収層６を設けるのと同様に、赤外吸収部材２への紫外光の照射を抑制することができ、赤外吸収部材２の経時的な劣化を抑制することが可能となる。
【００６８】
上述した構成を有する透光性部材６０，７０及び８０は、それぞれ赤外吸収部材２を備えることから、第１〜第５実施形態の透光性部材と同様、外光Ｌに含まれる赤外光を遮蔽しつつ、可視光を良好に透過することができるものである。
【００６９】
また、透光性部材６０，７０及び８０は、外光Ｌが入射される側と反対側に赤外吸収部材２を備えていることから、熱線の侵入だけでなく熱線の放出も効果的に低減することができる。すなわち、これらの透光性部材は、窓材等に適用する場合、赤外吸収部材２が室内側となるように配置される。この場合、室内からの熱線は赤外吸収部材２で吸収されるが、赤外吸収部材２と板状部材４との間は中空領域となっているため、赤外吸収部材２の熱は板状部材４には伝わり難い。その結果、室内の熱が透光性部材の外部には放出され難くなり、外気温が低い場合等であっても室内温度を良好に維持できるようになる。
【００７０】
このような外光の入射側と反対側に赤外吸収部材を備える透光性部材も、外光の入射側に赤外吸収部材を備える透光性部材と同様、下記第９〜第１２実施形態のように、赤外光に対する遮蔽性を更に向上させるための他の構成を更に有していると好ましい。
【００７１】
（第９実施形態）
図９は、第９実施形態に係る透光性部材の断面構成を模式的に示す図である。同図に示す透光性部材９０は、外光Ｌの入射側に配置された板状部材４と、この板状部材４と間隔をおいて配置された赤外吸収部材２と、板状部材４における外光Ｌの入射側と反対側の面上に設けられた紫外光吸収層６及び赤外遮蔽層８とから構成されている。本実施形態において、紫外光吸収層６及び赤外遮蔽層８は、板状部材４側からこの順に設けられているが、これに限定されず、赤外遮蔽層８、紫外光吸収層６の順で設けられていてもよい。また、紫外光吸収層６及び赤外遮蔽層８に代えて、これらの機能を併せ持つ層を一層のみ有していてもよい。このような層としては、例えば、樹脂フィルムからなる層中に、上記第２実施形態で示したような赤外吸収成分又は赤外反射成分と、紫外光吸収成分との両方を含む構成のものが挙げられる。
【００７２】
（第１０実施形態）
図１０は、第１０実施形態に係る透光性部材の断面構成を模式的に示す図である。同図に示す透光性部材１００は、外光Ｌの入射側に配置された板状部材４と、この板状部材４と間隔をおいて配置された赤外吸収部材２と、板状部材４における外光Ｌの入射側と反対側の面上に設けられた紫外光吸収層６と、赤外吸収部材２における外光Ｌの入射側の面上に設けられた赤外遮蔽層８とから構成されている。
【００７３】
（第１１実施形態）
図１１は、第１１実施形態に係る透光性部材の断面構成を模式的に示す図である。同図に示す透光性部材１１０は、外光Ｌの入射側に配置された板状部材１４と、この板状部材１４と間隔をおいて配置された赤外吸収部材２と、板状部材１４における外光Ｌの入射側と反対側の面上に設けられた紫外光吸収層６とから構成されるものである。板状部材１４は、上述の如く、板状部材４中に赤外光を吸収する粒子が更に分散された構成を有するものである。
【００７４】
（第１２実施形態）
図１２は、第１２実施形態に係る透光性部材の断面構成を模式的に示す図である。同図に示す透光性部材１２０は、外光Ｌの入射側に配置された板状部材４と、この板状部材４と間隔をおいて配置された赤外吸収部材１２と、板状部材４における外光Ｌの入射側と反対側の面上に設けられた紫外光吸収層６とから構成されるものである。赤外吸収部材１２は、上述の如く、赤外吸収部材２中に、赤外光を吸収する粒子が更に分散された構成を有するものである。
【００７５】
これらの第９〜第１２実施形態の透光性部材９０、１００、１１０及び１２０は、それぞれ第６実施形態の透光性部材に赤外遮蔽層８を更に設けるか、または、赤外吸収部材２又は板状部材４のいずれか一方に赤外光を吸収し得る成分を更に含有させたものである。これらの透光性部材は、このような構成を有することで、第６実施形態の透光性部材６０よりも更に赤外光を遮蔽する特性に優れるものとなる。したがって、これらの透光性部材を窓材等に適用すれば、室内への熱線の侵入をより効果的に抑制できるようになる。
【００７６】
以上、本考案の透光性部材の好適な実施形態について説明してきたが、本考案の透光性部材はこれらの実施形態に限定されない。
【００７７】
例えば、まず、上述した実施形態においては、一対の板状部材のうち、いずれか一方が赤外吸収部材２であり、他方が板状部材４である構成を例示したが、これに限定されず、本考案の透光性部材は、一対の板状部材の両方が赤外吸収部材２であってもよい。
【００７８】
また、上述した透光性部材は、全て紫外光吸収層６又は紫外光吸収性を有する板状部材２４のいずれかを備えていたが、例えば、紫外線の影響が小さい場所に適用する場合等は、必ずしもこれらを設けなくてもよい場合もある。また、紫外光吸収層６は、上述した実施形態の形成位置に限定されず、赤外吸収部材２よりも外光Ｌの入射側であれば、どこに設けられていてもよい。
【００７９】
赤外遮蔽層８も同様に、透光性部材の使用条件によっては必ずしも設ける必要はない。また、赤外遮蔽層８の形成位置は特に限定されるものではなく、透光性部材の任意の位置に形成することができる。
【００８０】
さらに、本考案の透光性部材は、必要に応じて上述した層構造の任意の場所に他の層を更に有していてもよい。ただし、優れた断熱及び遮音性を確保するため、赤外吸収部材を含む層構造と、板状部材を含む層構造とは、それぞれ離れて配置される必要がある。
【図面の簡単な説明】
【００８１】
【図１】第１実施形態に係る透光性部材の断面構成を模式的に示す図である。
【図２】第２実施形態に係る透光性部材の断面構成を模式的に示す図である。
【図３】第３実施形態に係る透光性部材の断面構成を模式的に示す図である。
【図４】第４実施形態に係る透光性部材の断面構成を模式的に示す図である。
【図５】第５実施形態に係る透光性部材の断面構成を模式的に示す図である。
【図６】第６実施形態に係る透光性部材の断面構成を模式的に示す図である。
【図７】第７実施形態に係る透光性部材の断面構成を模式的に示す図である。
【図８】第８実施形態に係る透光性部材の断面構成を模式的に示す図である。
【図９】第９実施形態に係る透光性部材の断面構成を模式的に示す図である。
【図１０】第１０実施形態に係る透光性部材の断面構成を模式的に示す図である。
【図１１】第１１実施形態に係る透光性部材の断面構成を模式的に示す図である。
【図１２】第１２実施形態に係る透光性部材の断面構成を模式的に示す図である。
【符号の説明】
【００８２】
２，１２…赤外吸収部材、４，１４，２４…板状部材、６…紫外光吸収層、８…赤外遮蔽層、１０，２０，３０，４０，５０，６０，７０，８０，９０，１００，１１０，１２０…透光性部材。
【図１】
0003123297.tif 000006
【図２】
0003123297.tif 000007
【図３】
0003123297.tif 000008
【図４】
0003123297.tif 000009
【図５】
0003123297.tif 000010
【図６】
0003123297.tif 000011
【図７】
0003123297.tif 000012
【図８】
0003123297.tif 000013
【図９】
0003123297.tif 000014
【図１０】
0003123297.tif 000015
【図１１】
0003123297.tif 000016
【図１２】
0003123297.tif 000017